(57)【要約】【課題】緩衝体の上下の壁部の波板の段のつぶれを抑え、延いては歪みの発生をも抑え、さらにスリーブの側板の胴膨れの発生を抑えてスリーブ強度を維持できるようにした包装用緩衝体を提供する。【解決手段】段ボール板製の外側緩衝材１と、この外側緩衝材１の内部に挿入されてセットされ同じく段ボール板製の内側緩衝材２とから構成され、外側緩衝材１および内側緩衝材２の両側における上下端面で外側緩衝材１および内側緩衝材２の長さ方向が上下方向に向く段目の端面が外側天板部６ａおよび外側底板部７ａの中央の板部との連設部における後部に形成したＬ型の切り込み６ａ’，７ａ’の部分で外側天板部６ａと外側底板部７ａと面一状に現れるように構成した。【選択図】    図５
2006151446.tif 000002
【特許請求の範囲】
【請求項１】
段ボール板製の外側緩衝材と、この外側緩衝材の内部に挿入されてセットされ同じく段ボール板製の内側緩衝材とから構成され、外側緩衝材の中央の板部に連設された１組の対向側板を前記中央の板部に重なる内側緩衝材の板部の両側の対向板部の外側に重ねて外側緩衝材の１組の対向側板に連設された上下のフラップの先端同士を係合させ、この上下のフラップを外側緩衝材の外側天板部と内側天板部とからなる天板部および外側底板部と内側底板部とからなる底板部で包み込んでなり、外側緩衝材および内側緩衝材の両側における上下端面で外側緩衝材および内側緩衝材の長さ方向が上下方向に向く段目の端面が外側天板部および外側底板部の中央の板部との連設部における後部に形成したＬ型の切り込みの部分で外側天板部と外側底板部と面一状に現れるように構成したことを特徴とする包装用緩衝体。
【請求項２】
請求項１に記載の包装用緩衝体を用いた包装構造であって、包装用緩衝体は被包装物の両端に被せられ、その外側に段ボール板を角筒状に折り曲げて左右両端が開口するスリーブが被せられるようにしたことを特徴とする包装構造。
【発明の詳細な説明】
【技術分野】
【０００１】
本発明は、例えばエアーコンディショナーの室内機などの被包装物を梱包する際に使用する段ボール板製の包装用緩衝体および包装構造に関するものである。
【背景技術】
【０００２】
従来のこの種包装用緩衝体として、特許文献１に開示されているような、段ボール板製で、外側緩衝体と、この外側緩衝体の内部に挿入されてセットされるとともに被包装物の両端部の形状に合う折り畳み段部を有する内側緩衝体とから構成されてなるものが知られている。即ち、外側緩衝体の内部に内側緩衝体を重ね、外側緩衝体で内側緩衝体をほぼ全面に亘って覆っている構成となっている。
【特許文献１】特開平１１−１１５９６８号公報
【発明の開示】
【発明が解決しようとする課題】
【０００３】
上記従来の特許文献１に開示されている包装用緩衝体は、外側緩衝体で内側緩衝体をほぼ全面に亘って覆っているので、被包装物の両端に緩衝体を被せて積重ねたとき、被包装物が重量物になればなるほど緩衝体の上下の壁部の波板の段（山）のつぶれが発生し、歪みが発生して被包装物が傾くという問題があった。また、被包装物の包装完了状態では被包装物の両端に緩衝体を被せ、その外側に段ボール板を角筒状に折り曲げて左右両端が開口するスリーブを被せているのであるが、上下の壁部の波板の段のつぶれが発生すると、スリーブの側板の胴膨れが発生し、スリーブの強度が低下するという問題があった。
【０００４】
本発明の目的は、このような課題を解決するものであり、緩衝体の上下の壁部の波板の段のつぶれを抑え、延いては歪みの発生をも抑え、さらにスリーブの側板の胴膨れの発生を抑えてスリーブ強度を維持できるようにした包装用緩衝体および包装構造を提供することにある。
【課題を解決するための手段】
【０００５】
本発明の請求項１に記載の包装用緩衝体は、段ボール板製の外側緩衝材と、この外側緩衝材の内部に挿入されてセットされ同じく段ボール板製の内側緩衝材とから構成され、外側緩衝材の中央の板部に連設された１組の対向側板を前記中央の板部に重なる内側緩衝材の板部の両側の対向板部の外側に重ねて外側緩衝材の１組の対向側板に連設された上下のフラップの先端同士を係合させ、この上下のフラップを外側緩衝材の外側天板部と内側天板部とからなる天板部および外側底板部と内側底板部とからなる底板部で包み込んでなり、外側緩衝材および内側緩衝材の両側における上下端面で外側緩衝材および内側緩衝材の長さ方向が上下方向に向く段目の端面が外側天板部および外側底板部の中央の板部との連設部における後部に形成したＬ型の切り込みの部分で外側天板部と外側底板部と面一状に現れるように構成したことを特徴とする。
【０００６】
本発明の請求項２に記載の包装構造は、請求項１に記載の包装用緩衝体を用いた包装構造であって、包装用緩衝体は、被包装物の両端に被せられ、その外側に段ボール板を角筒状に折り曲げて左右両端が開口するスリーブが被せられるようにしたことを特徴とする。
【発明の効果】
【０００７】
以上のように、本発明の包装用緩衝体および包装構造は、外側緩衝材および内側緩衝材の両側において上下端面で外側緩衝材および内側緩衝材の長さ方向が上下方向に向く段目の端面が現れることになり、緩衝体の上下の壁部の波板の段のつぶれがなくなり、延いては歪みの発生もなくなり、さらにスリーブの側板の胴膨れの発生を防止することができる。
【発明を実施するための最良の形態】
【０００８】
以下、本発明の一実施の形態を、図１〜図７を用いて具体的に説明する。
図において、包装用緩衝体は段ボール板製の外側緩衝材１と、この外側緩衝材１の内部に挿入されてセットされ同じく段ボール板製の内側緩衝材２とから構成されている。
【０００９】
前記外側緩衝材１は上下方向に向く中央の横長の板部３と、この板部３の左右に位置する短辺側に連設された１組の対向側板４，５と、この板部３の上下に位置する長辺側に連設された天板部６および底板部７とを備えている。
【００１０】
前記板部３の短辺側に連設された１組の対向側板４および５は上下両端に連設されたフラップ４ａ，４ｂおよび５ａ，５ｂが側板４および５に対して直角に折り曲げられて前記天板部６および底板部７に挟まれるようになっている。詳しくは、天板部６は外面（上面）を形成する外側天板部６ａと内面を形成する内側天板部６ｂとからなり、また底板部７は外面（下面）を形成する外側底板部７ａと内面を形成する内側底板部７ｂとからなり、前記天板部６の外側天板部６ａと内側天板部６ｂとの間で前記フラップ４ａおよび５ａを同時に挟み、前記底板部７の外側底板部７ａと内側底板部７ｂとの間で前記フラップ４ｂおよび５ｂを同時に挟むようになっている。前記フラップ４ａおよび５ａの先端には互いに噛み合う爪部４ａ’および５ａ’が形成され、また前記フラップ４ｂおよび５ｂの先端には互いに噛み合う爪部４ｂ’および５ｂ’が形成されている。そして、フラップ４ａおよび５ａは先端の爪部４ａ’および５ａ’によって互いに噛み合った状態で前記外側天板部６ａと内側天板部６ｂとの間で挟まれ、その結果３重壁構造の天板部６を構成するようになる。また、フラップ４ｂおよび５ｂは先端の爪部４ｂ’および５ｂ’によって互いに噛み合った状態で前記外側底板部７ａと内側底板部７ｂとの間で挟まれ、その結果３重壁構造の底板部７を構成するようになる。また、前記フラップ４ａおよび５ａならびにフラップ４ｂおよび５ｂの前記対向側板４および５との連設部における後部に切り込み４ａ”および５ａ”ならびに切り込み４ｂ”および５ｂ”が形成されている。また、前記上下に位置する天板部６および底板部７の外側天板部６ａおよび外側底板部７ａの前記中央の板部３との連設部における後部両側にＬ型の切り込み６ａ’および７ａ’が形成されているとともに、前記内側天板部６ｂおよび内側底板部７ｂの横長さ（長辺側寸法）は外側天板部６ａおよび外側底板部７ａの横長さ（長辺側寸法）に比べて僅かに小さく内側天板部６ｂおよび内側底板部７ｂの後端両側には浮き上がり防止片６ｂ’および７ｂ’が形成されており、さらに内側天板部６ｂおよび内側底板部７ｂの後端中央には係止片６ｂ”および７ｂ”が形成されている。
【００１１】
次に、前記内側緩衝材２は前記外側緩衝材１の中央の板部３とほぼ同じ大きさで板部３の内面に重なる板部８と、この板部８の短辺側に連設された１組の対向板部９，１０と、この各板部９，１０に板部８の短辺と平行な板部９，１０の先端に連設され板部９，１０の外側に重なる板部１１，１２と、この板部１１，１２の後端に連設され前記板部８の背面と平行となるように折れ曲る幅の狭い板部１３，１４と、この幅の狭い板部１３，１４の正面と重なるように板部１３，１４に連設された幅の狭い板部１５，１６とからなり、この板部１５，１６は前記板部８の背面に重なるようになる。ところで、前記板部８の長辺側の対向側辺には長さ方向両端部以外に深さの浅い凹部８ａおよび８ｂが形成されており、この凹部８ａおよび８ｂの長さ方向中央部には前記内側天板部６ｂおよび内側底板部７ｂの係止片６ｂ”および７ｂ”と係止する係止用の凹部８ａ’および８ｂ’が形成されている。そして、前記板部８の長辺側の対向側辺の長さ方向両端部は前記板部１３，１４および板部１５，１６の幅と同幅で２つ折りされた板部１３，１５ならびに１４，１６の板部１５，１６に重なるようになる。また、前記板部９，１１ならびに板部１０，１２が互いに重なった状態で前端側上下両端にＬ型に切り欠かれた段部９ａ，１１ａならびに段部１０ａ，１２ａが形成されている。
【００１２】
上記した外側緩衝材１と内側緩衝材２の組み合わせについて述べると、内側緩衝材２の板部８に対して板部９，１１ならびに板部１０，１２を折り曲げるとともに板部１１，１２に対して板部１３，１５ならびに１４，１６を折り曲げる。この内側緩衝材２を前記外側緩衝材１の中央の板部３に当てがい、外側緩衝材１の１組の対向側板４および５を中央の板部３に対して直角に折り曲げる。この直角に折り曲げられた対向側板４および５は前記内側緩衝材２の板部１１，１２の外面に重なり、かかる状態で前記外側緩衝材１の１組の対向側板４および５に連設されたフラップ４ａ，４ｂおよび５ａ，５ｂを折り曲げることによりフラップ４ａ，４ｂおよび５ａ，５ｂに形成された切り込み４ａ”，５ａ”および切り込み４ｂ”，５ｂ”が前記内側緩衝材２の互いに重なった板部９，１１ならびに板部１０，１２に形成された段部９ａ，１１ａならびに段部１０ａ，１２ａと係合し、フラップ４ａおよび５ａならびにフラップ４ｂおよび５ｂの先端同士を互いに爪部４ａ’および５ａ’ならびに爪部４ｂ’および５ｂ’で噛み合わせる。その後、外側緩衝材１の天板部６および底板部７を折り畳み、天板部６の外側天板部６ａと内側天板部６ｂとの間でフラップ４ａ，５ａを包み、また底板部の外側底板部７ａと内側底板部７ｂとの間でフラップ４ｂ，５ｂを包み、内側天板部６ｂおよび内側底板部７ｂの後端中央の係止片６ｂ”および７ｂ”をそれぞれ前記板部８の凹部８ａ’および８ｂ’に係止させる。このとき、外側天板部６ａおよび外側底板部７ａに形成されている前記Ｌ型の切り込み６ａ’および７ａ’が前記凹部８ａ，８ｂおよび段部９ａ，１１ａならびに段部１０ａ，１２ａに係止することにより前記内側緩衝材２の板部９，１１ならびに板部１０，１２、板部１３，１５ならびに１４，１６の端面が切り込み６ａ’および７ａ’より露出するとともに、さらには外側緩衝材１の中央の板部３と１組の対向側板４，５の端面が露出するようになる。なお、外側緩衝材１の板部３と１組の対向側板４，５および内側緩衝材２の全ての板部８，９，１０，１１，１２，１３，１４，１５，１６の段目の長さ方向は上下方向に向くように作られており、それぞれが段目の端面が緩衝体の両側における上下端面で切り込み６ａ’および７ａ’の位置で外側天板部６ａと外側底板部７ａと面一状に現れる。
【００１３】
このように構成された緩衝体を２つ用意し、エアーコンディショナーの室内機などの被包装物１７の長さ方向両端に被せ、その外側に段ボール板を角筒状に折り曲げて左右両端が開口するスリーブ１８を被せ、長さ方向にバンド１９を掛けて包装が完了する。
【図面の簡単な説明】
【００１４】
【図１】本発明の一実施の形態における外側緩衝材の展開図である。
【図２】同内側緩衝材の展開図である。
【図３】同内側緩衝材を組み立てた状態を示す斜視図である。
【図４】同内側緩衝材を外側緩衝材の中央の板部上に載せセットする途中の状態を示す斜視図である。
【図５】同外側緩衝材で内側緩衝材を包んで完成された緩衝体の斜視図である。
【図６】同緩衝体を被包装物の両端に被せた状態を示す斜視図である。
【図７】同全体をスリーブで覆ってバンドを掛けた包装完了状態を示す斜視図である。
【符号の説明】
【００１５】
１                                外側緩衝材
２                                内側緩衝材
３                                板部
４，５                            側板
４ａ，４ｂ，５ａ，５ｂ            フラップ
４ａ’，４ｂ’，５ａ’，５ｂ’    爪部
４ａ”，４ｂ”，５ａ”，５ｂ”    切り込み
６                                天板部
６ａ                              外側天板部
６ａ’                            切り込み
６ｂ                              内側天板部
６ｂ’                            浮き上がり防止片
６ｂ”                            係止片
７                                底板部
７ａ                              外側底板部
７ａ’                            切り込み
７ｂ                              内側底板部
７ｂ’                            浮き上がり防止片
７ｂ”                            係止片
８                                板部
８ａ，８ｂ                        凹部
８ａ’，８ｂ’                    凹部
９，１０                          板部
９ａ，１０ａ                      段部
１１，１２                          板部
１１ａ，１２ａ                      段部
１３，１４，１５，１６              板部
１７                                被包装物
１８                                スリーブ
１９                                バンド
【図１】
2006151446.tif 000003
【図２】
2006151446.tif 000004
【図３】
2006151446.tif 000005
【図４】
2006151446.tif 000006
【図５】
2006151446.tif 000007
【図６】
2006151446.tif 000008
【図７】
2006151446.tif 000009